(57)【特許請求の範囲】
【請求項１】
天然石材からなる略平板状の床板本体（２０）における表面部の一部又は全面に、複数個の凹部（２１）が形成され、該凹部（２１）内には、遠赤外線、放射線、磁力線、又はマイナスイオンのうち少なくともいずれか一種類の物理的療養作用を発現する天然又は人工の機能性石粒（６）が収容されてなり、
前記凹部（２１）の開口端には、当該凹部（２１）の内壁面に沿って挿入される筒状部（７１）と、該筒状部（７１）の上端開口を塞ぐ天面部（７２）とを備えて前記機能性石粒（６）の抜け出しを防ぐ押え材（７）が装着されていることを特徴とする岩盤浴用床板。
【請求項２】
請求項１に記載の岩盤浴用床板（２）において、
床板本体（２０）には、トルマリンなどのマイナスイオン発生石、ラジウム鉱石、ゲルマニウム鉱石又は麦飯石のうち少なくともいずれか一種が含有されている岩盤浴用床板。
【請求項３】
請求項１又は２に記載の岩盤浴用床板（２）において、
凹部（２１）は上面視略円形をなすように形成され、該凹部（２１）内に機能性石粒（６）が、略球形に形成されて１個ずつ、又は略円柱形に形成されて１〜３個ずつ収容されている岩盤浴用床板。
【請求項４】
請求項１ないし３のいずれか１項に記載の岩盤浴用床板（２）において、
押え材（７）が床板本体（２０）の凹部（２１）内に嵌装された状態で天面部（７２）が床板本体（２０）の表面と略面一になるように構成されている岩盤浴用床板。
【請求項５】
請求項１ないし４のいずれか１項に記載の岩盤浴用床板（２）において、
押え材（７）の天面部（７２）に開口部（７３）が形成され、凹部（２１）内に収容された機能性石粒（６）の一部分が前記開口部を通じて床板本体（２０）の表面側に臨んでいる岩盤浴用床板。
【請求項６】
請求項１ないし５のいずれか１項に記載の岩盤浴用床板（２）において、
凹部（２１）は、人体のツボの位置に合わせて床板本体（２０）上に配置されている岩盤浴用床板。
【請求項７】
請求項１ないし６のいずれか１項に記載の岩盤浴用床板（２）の裏側に発熱体（３）と断熱材（４）とが積層されてなる岩盤浴用ユニット。
【請求項８】
請求項７に記載の岩盤浴用ユニット（１）において、
床板本体（２０）、発熱体（３）及び断熱材（４）を積層して略同一の平面形状の積層体を形成し、該積層体の周縁部に枠体（５）を取り付けて一体化してなる岩盤浴用ユニット。
【発明の詳細な説明】
【技術分野】
【０００１】
本発明は、一般家庭の室内や風呂、ホテルや旅館等の事業所における室内や浴場更に公衆浴場、特に、一般家庭の室内において、特定の天然石や岩石を加工した床板上に座すか横臥することにより、放射線、磁力線又はマイナスイオンその他の物理的療用作用によって血液循環、新陳代謝更に癒し効果を促進して健康改善や心身の機能改善を図る岩盤浴用床板及びこれを用いた岩盤浴用ユニットに関する。
【背景技術】
【０００２】
岩盤浴とは、４５〜５０℃位に加熱した床板の上に着衣状態やバスタオルを敷いた状態で横たわり、床板から放射される遠赤外線の作用によってサウナ以上の発汗作用を得る、いわゆる温熱健康法の一種であり、「お湯を使わないお風呂」とも称される。
【０００３】
そして、大量の発汗によって血液循環や新陳代謝が促進されることにより、ストレス解消、体毒排泄、体脂肪の減少、むくみや冷え性の改善、肌の若返り、肩凝りや腰痛、リウマチの軽減といった健康・美容効果が期待される。
【０００４】
また、身体の免疫機能が高まることによって、花粉症をはじめとするアレルギー性疾患の改善や、ガンの予防・治癒にも効果があるといわれている。
【０００５】
岩盤浴を体験することのできる天然の温泉地としては、秋田県の玉川温泉が最も有名である。火山の噴気で熱せられた岩場にゴザを敷いて寝ころぶ施設が設けられ、毎年、数多くの湯治客が訪れている。
【０００６】
玉川温泉は、北投石という希少な鉱物を産出する点で特に注目されている。この鉱物に含まれる放射性ラジウムや、ラジウムのアルファ崩壊によって生成されるラドンが微量の放射線を発し、その放射線が身体細胞に好ましい刺激を与えて、免疫力や自然治癒力を高める効果（ホルミシス効果）を奏するといわれている。
【０００７】
このような効能が期待される岩盤浴を、遠方の温泉地まで出向かずとも、日常的に手軽に行いたいとの要望から、近年、都市部のホテルや健康ランド、スポーツジム、エステティックサロン、病院や各種治療院等において、人工的な床板加熱装置による岩盤浴施設が増加している。
【０００８】
その種の施設や一般家庭にも設置可能な岩盤浴装置としては、例えば、特許文献１〜４などに記載されたものが公知である。
【０００９】
特許文献１〜３に記載の岩盤浴装置は、いずれも、人が横臥し得る大きさのベッドに、電熱ヒータあるいは温熱パイプを利用した発熱体を組み込み、該発熱体の上に石材からなる床板を重ねたものとして構成されている。
【００１０】
又、床板については、天降石と呼ばれる鉱石の粉体を陶磁器素材の表面に焼結形成したもの（特許文献１）、盤状にスライスした多数個のラジウム鉱石をモルタルで固着したもの（特許文献２）、ラジウム鉱石の粉末をモルタルに混ぜて焼結形成したもの（特許文献３）等が提案されている。
【００１１】
更に、特許文献４には、ベッド状に枠組みした寝床の表面にラジウムを含む湯の花セラミックスの粒体を一面に敷きつめた構成が提案されている。
【特許文献１】登録実用新案３１１８６４２号公報
【特許文献２】特開２００６−１８７４４３号公報
【特許文献３】特開２００７−６９６７号公報
【特許文献４】特開２００５−２４５６３１号公報
【発明の開示】
【発明が解決しようとする課題】
【００１２】
上記特許文献１〜４に開示されたようなベッド型の岩盤浴装置は、一台ずつの大きな設置スペースを必要とするので、狭小な施設や一般住宅には導入し難いという不都合がある。
【００１３】
また、特許文献１〜３に開示された装置のように床板を焼成やモルタル固化等によって形成するものは、床板の製造に手間がかかるとともに、利用者が求める効能に応じて鉱石の種類や組み合わせを変更するのも困難である。
【００１４】
一方、特許文献４記載の装置のように粒体状の鉱石を敷きつめるものは、鉱石の組み合わせを自由に変更することは容易であるものの、寝床面全体に敷きつめるだけの多量の鉱石が必要で、装置がきわめて高価になる。
【００１５】
また、利用のたびに鉱石が散らばったり、鉱石が脱落したり、身体に付着したりするおそれもあるので、使い勝手や維持管理の面にも多大の改善の余地がある。
【００１６】
本発明は、上述のような事情に鑑みてなされたものであって、狭小な施設や一般家庭にも導入しやすく、日常的な維持管理にも手間がかからない構造を有し、かつ、利用者の好みや要望に応じて効能を調整することも可能な岩盤浴用床板と、該岩盤浴用床板を利用した岩盤浴用ユニットを提供することを解決課題とする。
【課題を解決するための手段】
【００１７】
上記目的を達成するため、本発明の岩盤浴用床板においては、天然石材からなる略平板状の床板本体における表面部の一部又は全面に、複数個の凹部が形成され、該凹部内には、遠赤外線、放射線、磁力線、又はマイナスイオンのうち少なくともいずれか一種類の物理的療養作用を発現する天然又は人工の機能性石粒が収容されてなり、前記凹部の開口端には、該凹部の内壁面に沿って挿入される筒状部と、該筒状部の上端開口を塞ぐ天面部とを備えて前記機能性石粒の抜け出しを防ぐ押え材が装着されていることを特徴とするものである。
【００１８】
そして、本発明において、天然石材からなる略平板状の床板本体としては、トルマリンなどのマイナスイオン発生石、ラジウム鉱石、ゲルマニウム鉱石又は麦飯石のうち少なくともいずれか一種が含有されているものが挙げられる。この構成によれば、特定の波長特性を有する遠赤外線や放射線更に、マイナスイオン等の物理的療養作用を、床板全体からも得ることができるのである。
【００１９】
本発明における「機能性石粒」とは、例えば、放射線を発するラジウム鉱石や、例えば玉川温泉などのラジウムを含有した、いわゆる湯の花セラミック等の温泉沈殿物重晶石、遠赤外線の波長特性に特徴があるゲルマニウム鉱石やブラックシリカ（黒鉛珪石）、微弱電流作用を持つとされるトルマリン（電気石）などのマイナスイオン発生石、その他のヒーリング効果を発現するアメジスト（紫水晶）、ヘマタイト、メノウ、オニキス等の天然鉱石、又はそれらの鉱石成分を含んだ焼成セラミックや磁石等の加工物を、適当な大きさの粒状に形成したものである。
【００２０】
そして、本発明においては、特に、床板本体としてはゲルマニウム鉱石が含有されているもので形成されており、機能性石粒が、玉川温泉の湯の花セラミックからなるものと、上層部がアメジスト（紫水晶）で形成され、且つ下層部が磁石で形成された二層のもの、とを設けたものが以下の理由により最も好ましい。
【００２１】
即ち、ゲルマニウム鉱石は遠赤外線の波長特性に特徴があり、その遠赤効果が著しく優れているのであり、又、玉川温泉の湯の花セラミックは放射性ラジウムや、ラジウムのアルファ崩壊によって生成されるラドンが微量の放射線を発し、その放射線が身体細胞に好ましい刺激を与えて、免疫力や自然治癒力を高める効果（ホルミシス効果）が著しいのであり、更に、アメジスト（紫水晶）は、心の病や疲れを癒す、いわゆるヒーリング効果を発現するのであり、しかも、これらの効果と磁石による効果、つまり筋肉組織の血行を促進、改善して緊張や凝りを解くのであり、そして、これらの効果が相乗的に作用し合うのである。このため、大量の発汗によって血液循環や新陳代謝が著しく促進されるので、至極優れたストレス解消や体毒排泄を実現し、体脂肪の減少や浮腫みの解消、更に冷え性の改善、肌の若返り、肩凝りや腰痛、リウマチの軽減といった健康・美容効果が得られるのである。
【００２２】
そして、本発明の岩盤浴用床板においては、床板本体の表面部の一部又は全面に複数個の凹部を形成して、上述のような機能性石粒を収容、固定することにより、利用者が望む効果に合わせて機能性石粒の組み合わせや配置を自由に設定することが可能になる。
【００２３】
本発明の岩盤浴用床板において、上述の機能性石粒の抜け出しを防ぐ押え材を着脱可能とすれば、使用者の健康状態や好みに応じて、機能性石粒の種類変更等も容易になるのである。
【００２４】
又、本発明の岩盤浴用床板において、凹部及び機能性石粒の形状は特に限定されるものではないが、特に、加工性や取り扱いの容易性等を考慮すると、凹部を上面視略円形をなすように形成し、機能性石粒を略球形又は略円柱形に形成するのが最も実用的である。
【００２５】
本発明の岩盤浴用床板において、凹部に装着される押え材は、床板本体に形成された凹部の内壁面に沿って挿入される筒状部と、該筒状部の上端開口を塞ぐ天面部とを具備するもの、とするのが合理的である。
【００２６】
この場合、押え材が床板本体の凹部内に嵌装された状態で天面部が床板本体の表面と略面一（概ね数ｍｍ程度内の段差）になるように構成すれば、座した状態や横臥時にも好ましい感触が得られるのである。
【００２７】
また、本発明の岩盤浴用床板において、押え材の天面部に開口部が形成され、凹部内に収容された機能性石粒の一部分が前記開口部を通じて床板本体の表面側に臨んでいる構成を採用すれば、機能性石粒の療養効果を直接的に人体に作用させることができる。この場合において、「臨んでいる」とは、機能性石粒の一部が露出（天面部の表面から外方に僅かに突出）している場合のほか、天面部の表面から全く外方に突出しないで上方から見える状態の両方を含むが、機能性石粒の一部が露出している場合の方が指圧効果も得られるので最も好ましい。
【００２８】
更に、本発明の岩盤浴用床板において、押え材の天面部に、押え材を凹部に着脱するための工具係合部を形成すれば、機能性石粒の入替時における押え材の着脱が容易になるので、当該機能性石粒の入替が極めて容易に行うことができる結果、至極好ましいのである。
【００２９】
加えて、本発明の岩盤浴用床板において、押え材における筒状部の外周面に雄ネジが形成されていると共に、床板本体における凹部の内壁面に雌ネジが形成され、それら雄ネジと雌ネジとの螺合によって押え材が凹部に装着される構成によっても、押え材の着脱が容易になるので望ましい。
【００３０】
また、本発明の岩盤浴用床板において、押え材における筒状部の下端縁に爪状突起を形成して、押え材を凹部内に押し込むときに当該爪状突起が弾性変形するように構成すれば、押え材の装着状態が、より一層確実なものとなるので望ましい。
【００３１】
また、本発明の岩盤浴用床板において、前記押え材の材質としては、汗に濡れても発錆や腐食を生じない金属或いは合成樹脂を用いるのが好ましいが、特に、合成樹脂製の押え材の表面に、例えば金属色調のメッキ塗装、例えば金メッキ塗装を施したものが、外観にも高級感を形成することができるので望ましい。
【００３２】
このように、本発明の岩盤浴用床板においては、床板本体に形成した適宜個数の凹部内に機能性石粒を収容するものであって、寝床一面に機能性石粒を敷きつめるものではないから、機能性石粒の必要個数が少なくて済み、装置コストの上昇を抑制することができる。
【００３３】
この場合において、前記凹部を人体のツボ（東洋医学における経穴）の位置に合わせて配置すれば、より一層効率的に療養効果を得ることができるので望ましい。
【００３４】
また、本発明の岩盤浴用ユニットにおいては、本発明の岩盤浴用床板の裏側に発熱体と断熱材とが積層されたものであり、このように構成すると、前記発熱体によって直接、身体に温熱を与えることができるので、より一層優れた物理的療用作用を発現させることができるので望ましい。
【００３５】
この場合において、床板本体、発熱体及び断熱材を積層して略同一の平面形状の積層体を形成し、該積層体の周縁部に枠体を取り付けて一体化することにより、全体形状を薄型化、コンパクト化して、設置を容易にすることができるので望ましい。
【発明の効果】
【００３６】
上述のように構成された本発明の岩盤浴用床板においては、床板本体に形成した適宜個数の凹部内に機能性石粒を収容したものであるから、適宜個数の機能性石粒によって、遠赤外線、放射線、磁力線又はマイナスイオンのうち少なくともいずれか一種類の物理的な療養効果を効果的に得ることができるのである。
【００３７】
又、本発明の岩盤浴用床板において、床板本体は主として天然石材を用いているので、焼成加工やモルタル固化等の面倒な工程を経ずとも形成可能であり、使用する機能性石粒の数量も少なくて済むので、装置コストの上昇が抑制されるなどの効果を奏するのである。
【００３８】
更に、本発明の岩盤浴用床板において、床板本体は、機能性石粒を収容するための凹部を形成しうる厚さがあればよいので、薄型化、コンパクト化が極めて容易であり、しかも、機能性石粒は、押え材によって凹部から抜け出さないように保持されるので、利用のたびに鉱石が散らばったり、脱落したり、身体に付着したりするおそれもないのである。
【００３９】
加えて、本発明の岩盤浴用床板において、押え材を着脱して機能性石粒の種類や配置を変更できるように構成すると、利用者の好みや要望更に心身の状態に応じて、物理的療養効果をきめ細かく設定したり、利用経歴に合わせて療養効果を段階的に変化させたりすることも可能になるなどの効果を奏することができるのである。
【００４０】
本発明の岩盤浴用ユニットにおいては、本発明の岩盤浴用床板の裏側に発熱体と断熱材とが積層されたものであるから、これをそのまま様々な床面やベッドの寝床面に設置することができるのである。したがって、ホテルや健康ランド、スポーツジム、エステティックサロン、病院や各種治療院等にも導入し易く、また、一般家庭にも手軽に設置することができるので、広範に利用できるのである。
【００４１】
床板本体、発熱体及び断熱材を積層して略同一の平面形状の積層体を形成し、該積層体の周縁部に枠体を取り付けて一体化することにより、全体形状を薄型化、コンパクト化して設置する形態を採用すれば、不使用時には、ラグマット等を敷いて通常の床面と区別無く利用したり、あるいは夏季に石材のひんやりした感触を楽しむためのスペースとして利用したりすることも可能になり、スペースの有効活用に大いに寄与することができるなどの効果を奏するのである。
【発明を実施するための最良の形態】
【００４２】
以下、本発明の実施の形態について図を参照しつつ詳細に説明する。
【００４３】
図１は、本発明の一実施形態に係る岩盤浴用ユニット１の概略構成を示す斜視図である。
【００４４】
図１において、この岩盤浴用ユニット１は、岩盤浴用床板２と、その裏側に積層した発熱体３及び断熱材４とを、それらの周縁部に取り付けた枠体５によって一体化したものである。
【００４５】
前記岩盤浴用床板２を構成する床板本体２０は、例えば、ゲルマニウム鉱石を含有する天然石材を平板状に加工して形成されている。この岩盤浴用床板２の厚さは概ね２０ｍｍ前後に形成され、該岩盤浴用床板２の表裏両面は平滑か、人が座したり、横臥した際に支障のない程度の微細な凹凸を有するように加工されている。
【００４６】
この場合の例示の形態では、２枚の床板本体２０ａ，２０ｂを突き合わせて、一人分の横臥サイズを有する上面視長方形状の床板本体２０が形成されているが、その基本的な形態を図２〜図５に示す。
【００４７】
図２，図３の（ａ）図及び（ｂ）図は、２枚のうちの一方の床板本体２０ａを示しており、この床板本体２０ａにおける表面部の一部には、表側に開口する有底の凹部２１が複数個形成されている。この凹部２１，２１・・・は、互いに５ｃｍ〜２５ｃｍ程度の間隔をあけて、人体のツボの位置に合致するように配置して利用し得るように構成されており、例えば軸付砥石等の切削工具を用いて上面視略円形をなすように形成され、該各凹部２１の直径及び深さは数ｍｍ〜十数ｍｍに形成されている。
【００４８】
前記各凹部２１内には、遠赤外線、放射線、磁力線又はマイナスイオンのうち少なくともいずれか一種類の物理的療養作用を発現する天然の機能性石粒６が収容されている。この機能性石粒６の具体例としては、ラジウムを含有してラドンを生成する湯の花セラミック、ゲルマニウムを含有するセラミック加工物、ブラックシリカ（黒鉛桂石）を含有するセラミック加工物、トルマリン鉱石、アメジスト（紫水晶）鉱石、ネオジウム磁石等が挙げられる。
【００４９】
この実施例において、岩盤浴用床板２は、特に、図６〜図９に示すように、機能性石粒６が、玉川温泉の湯の花セラミックで形成された単独球状のものと、図１０〜図１２に示すように、上層部がアメジスト（紫水晶）６ｂで形成され、且つ下層部が磁石６ａで形成された二層のもの、との二種類を組み合わせて形成されている。
【００５０】
そして、それらの機能性石粒６は、その形状が特に限定されるものではないが、例えば図６〜図９に示すように、直径数ｍｍ〜十数ｍｍの球状、あるいは図１０〜図１２に示すような短円柱状に形成される。この場合、どの位置の凹部２１にどの種類の機能性石粒６を収容するかについては、期待する療養効果に合わせて個々に設定される。例示形態では、各凹部２１内に１個ずつ機能性石粒６が収容されているが、機能性石粒６の粒径が小さい場合には、１箇所の凹部２１内に２、３個ずつ同種、或いは異種の機能性石粒６を収容してもよいのである。
【００５１】
そして、本発明の岩盤浴用床板２においては、前記凹部２１には、機能性石粒６の抜け出しを防ぐための押え材７が装着される。図６〜図１２に前記押え材７の実施形態を例示する。
【００５２】
図６〜図１１に示す押え材７は、凹部２１の内壁面に沿って挿入される筒状部７１と、該筒状部７１の上端開口を塞ぐ天面部７２とを具備している。押え材７が凹部２１内に嵌装された状態で、天面部７２が床板本体２０の表面と略面一になり、筒状部７１の内側の空間に機能性石粒６が抱持される。そして、この場合、天面部７２の中央には、機能性石粒６よりも小径の開口部７３が形成されており、この開口部７３を通じて機能性石粒６の一部分が床板本体２０の表面側に露出するように構成されている。
【００５３】
この押え材７は、例えば、図９に示すように、周面部の対向する２箇所を凹設して工具係合部７４が形成されており、該押え材７を凹部２１から抜き取る際に、例えば細いラジオペンチ等の先端を工具係合部７４に係合させるなどして押え材７を回動させれば、押え材７の抜き取り作業が容易になるように構成しても良いのである。
【００５４】
また、図１３に示した押え材７は、筒状部７１に複数箇所の切込部７５が形成されて、筒状部７１の下端縁が爪状突起７６となされており、該押え材７を凹部２１内に押し込むと、爪状突起７６が弾性変形しながら凹部２１の内壁面に密着するので、押え材７がより一層確実に装着されることになるのである。
【００５５】
押え材７については、図示は省くが、上記形態以外にも例えば、筒状部７１の外周面に雄ネジを形成して、凹部２１の内壁面に形成した雌ネジに螺合させるように構成してもよい。この押え材７の材質としては、汗に濡れても発錆や腐食を生じない合成樹脂を用いるのが好ましい。合成樹脂の表面に、例えば金属色調のメッキ塗装、例えば金メッキ塗装を施せば、外観的にも高級感を形成することができるので望ましい。
【００５６】
図１に例示した実施形態において、発熱体３としては、例えば、防水処理がなされた電熱ボードや電熱シート、あるいは温水循環パイプを配設した温熱パネル等を利用することができる。ただし、全体の薄型化、コンパクト化には、温熱パネルよりも電熱ボードや電熱シートを用いたものが有利である。又、前記断熱材としては、例えば、珪酸カルシウム板や発泡樹脂製の板材等、公知の断熱材料を利用することができる。また、前記枠体５としては、ステンレ
ス製枠体やアルミニウム枠体、合成樹脂製枠体、木材製枠体等を利用することができる。この枠体５の断面形状は、前記枠体５の材質に応じて適宜設計すればよく、本発明においては特に限定するものではないのである。
【００５７】
本発明の岩盤浴用ユニット１においては、このような構成により、全体として数ｃｍ程度或いはそれ以下まで薄型化することが可能である。
【００５８】
図１４〜図１６においては、前記岩盤浴用ユニット１の設置形態を示す。図１４に示す設置形態では、大引８１や根太８２によって構成した木軸床組の上に合板等からなる床下地面材８３を敷設し、その上に岩盤浴用ユニット１を載置して、床仕上材８４を岩盤浴用ユニット１の厚さに合わせて敷設している。図中において、符号３１は給電用ケーブル、符号３２は中継用ボックスである。
【００５９】
又、図１５に示す設置形態では、コンクリート床８５を打設する際に岩盤浴用ユニット１を一体に埋設して、表面の高さを揃えている。そして、給電用ケーブル３１は、コンクリート床８５内に埋設した保護管（図示せず）内に挿通させて保護されている。
【００６０】
更に、図１６に示す設置形態では、各種の床仕上材を敷設して形成された既設の床８６上に岩盤浴用ユニット１を載置している。これは、既設の床８６に岩盤浴用ユニット１を後施工する場合を想定した設置形態である。この場合、岩盤浴用ユニット１は、その厚さ分だけ既設の床８６よりも高くなるが、薄型化に適した本発明の岩盤浴用ユニット１では、このような形態でも大きな支障なく利用することができる。この場合、給電用ケーブル３１は、既設の床８６上にモール材（図示せず）を貼設するなどして被覆される。
【図面の簡単な説明】
【００６１】
【図１】図１は、本発明の実施形態に係る岩盤浴用ユニットの一部破断斜視図である。
【図２】図２は、本発明の実施形態に係る岩盤浴用ユニットに用いられる単品の岩盤浴用床板の斜視図である。
【図３】図３において、（ａ）図は本発明の実施形態に係る岩盤浴用ユニットに用いられる単品の岩盤浴用床板の表面図、（ｂ）図はその裏面図である。
【図４】図４における（ａ）図は、図３の（ａ）図における右側面図、（ｂ）図は、図３の（ａ）図におけるＡ−Ａ断面図である。
【図５】図５は、図３の（ａ）図における平面図である。
【図６】図６は、図３の（ａ）図におけるＢ−Ｂ，Ｃ−Ｃ部分拡大図である。
【図７】図７は、図６におけるＥ−Ｅ断面図である。
【図８】図８は、図６におけるＦ−Ｆ断面図である。
【図９】図９は、本発明の実施形態に係る岩盤浴用ユニットにおいて、床板本体に形成した凹部の断面構造を拡大して示す部分断面斜視図である。
【図１０】図１０は、図３の（ａ）図におけるＢ−Ｂ，Ｄ−Ｄ部分拡大図である。
【図１１】図１１は、図１０におけるＧ−Ｇ断面図である。
【図１２】図１２は、本発明の実施形態に係る岩盤浴用ユニットにおいて、床板本体に形成した他例の断面構造を拡大して示す部分断面斜視図である。
【図１３】図１３は、押え材の他例の実施形態を示す斜視図である。
【図１４】図１４は、岩盤浴用ユニットの設置形態を示す断面図である。
【図１５】図１５は、岩盤浴用ユニットの他例の設置形態を示す断面図である。
【図１６】図１６は、岩盤浴用ユニットの更に他例の設置形態を示す断面図である。
【符号の説明】
【００６２】
１  岩盤浴用ユニット
２  岩盤浴用床板
２０  床板本体
２１  凹部
３  発熱体
４  断熱材
５  枠体
６  機能性石粒
７  押え材
７１  筒状部
７２  天面部
７３  開口部
７４  工具係合部
７６  爪状突起
【図１】
0004626877.tif 000002
【図２】
0004626877.tif 000003
【図３】
0004626877.tif 000004
【図４】
0004626877.tif 000005
【図５】
0004626877.tif 000006
【図６】
0004626877.tif 000007
【図７】
0004626877.tif 000008
【図８】
0004626877.tif 000009
【図９】
0004626877.tif 000010
【図１０】
0004626877.tif 000011
【図１１】
0004626877.tif 000012
【図１２】
0004626877.tif 000013
【図１３】
0004626877.tif 000014
【図１４】
0004626877.tif 000015
【図１５】
0004626877.tif 000016
【図１６】
0004626877.tif 000017